(57)【特許請求の範囲】
【請求項１】
調理状態認識用多孔部が形成されたドアスクリーンと、
前記ドアスクリーンの縁に電子レンジキャビティの調理室の入り口の全体周辺部に形成された前面板と接合して電磁波の漏洩を１次的に遮蔽するために形成されているシーリング面と、
前記シーリング面と前記前面板の間から漏洩される電磁波を２次的に遮蔽させるために前記シーリング面に一体的に延長して形成されたチョーク構造で構成されたドアフレームを含む電子レンジドアにおいて、
前記チョーク構造は前記前面板の反対側に前記シーリング面から折曲され形成されたドローイング側壁、前記ドローイング側壁の端から外側に延長折曲されたチョーク下部壁、前記チョーク下部壁の端から前記シーリング面側に延長折曲されたチョーク外側壁、前記チョーク外側面の端から前記ドローイング側壁側に延長折曲されたチョーク上部壁、及び前記チョーク上部壁の端から前記チョークの内側に突出形成されている分割壁を含み、前記ドアフレームの周辺全体に沿って形成されている前記チョーク部を横切って形成されて前記チョーク部を多数のチョークに分けて多数の開放伝送線路を形成し、前記チョーク上部壁及び前記チョーク外側壁に多数のスリットが連続して形成され、前記スリットに対向するチョーク下部壁の部位に前記開放伝送経路の入力インピーダンス及び各開放伝送線路間の特性インピーダンスを向上させるための円形または四角形の形状を有する多数のホールが形成されていることを特徴とする電子レンジのドア。
【請求項２】
前記ホールの幅は前記スリットの幅より大きくないことを特徴とする請求項１記載の電子レンジのドア。
【発明の詳細な説明】
【０００１】
【発明の属する技術分野】
本発明は電磁波の漏洩が遮蔽できる電子レンジのドアに関するもので、より詳細には導体板の端部に短絡伝送線路を有するチョーク部を形成して外部に漏洩される電磁波を最大限遮蔽させられるようにしたために、有害な電磁波から人体を効果的に保護するための電磁波の遮蔽構造を有する電子レンジのドアに関する。
【０００２】
【従来の技術】
一般に、家庭用電子レンジは高周波を生成するためのマグネトロンを具備する。電子レンジの電磁場室には高周波を生成させるマグネトロンが具備されている。前記高周波はおもに電磁場室の底面板に取り付かれた高圧トランスの第１次及び２次誘導コイルが相互誘導作用によって生成された高電圧を安定的にマグネトロンに印加することによって生成され、このような高周波導波管を通じて電子レンジの調理室の内部に置かれた飲食物が加熱されて調理される。
【０００３】
マグネトロンの電源線としては主にフィラメント及びカソード、アノードで構成される。前記マグネトロンに高電圧が印加され高周波を発振するようになると、飲食加熱に必要なマグネトロンの基本周波数を有する高周波以外にカソードとフィラメントを通じて不必要に輻射される高周波つまり、ノイズや雑音電圧が発生する。ノイズや雑音電圧は電源線路であるフィラメントやカソード端子を通じて逆流され周辺機器に電波障碍を起こす。
【０００４】
また、このような電波は人体に有害な電磁波であるために飲食物調理時に外部に漏洩されることを防止するようにしている。電子レンジドアは前記調理室の前面から飲食物を引き出すために設置される。前記ドアは直接に開けない状態で飲食の調理状態が認識できるし、閉めた状態であっても前記電磁波が漏洩できないようにするためにチョーク構造を有する。
【０００５】
従来、チョーク構造を有するドアは１ピース（以下、ＰＣと称する）形態や２ＰＣＳ形態で区分できる。図９は従来２ＰＣＳ型チョーク構造を有するドアが電子レンジキャビティ１０１の調理室１０２に付着された状態を表している断面図である。図１０Ａは図９に図示している２ＰＣＳ型チョーク構造で電波吸収体が付着されていない状態を表している詳細断面図であり、図１０Ｂは図９に図示している２ＰＣＳ型チョーク構造で電波吸収体が付着された状態を表している詳細断面図である。図示されているように２ＰＣＳ型チョーク構造を有するドアは、多孔部が形成されたドアスクリーン１０４とチョーク部（チョーク構造）１０６を形成するためのドアフレーム１０５で構成された二つの部品を含む。
【０００６】
電子レンジキャビティ１０１の調理室１０２の入り口１１１の全体周辺部にわたって前面板１０３が形成されている。前記前面板１０３上には外部で調理室１０２内の飲食物１１０の調理状態を確認するための多孔部を有するドアスクリーン１０４が形成されている。前記前面板１０３とドアスクリーン１０４の外周辺部に形成されたシーリング面１１５は金属板間の接合を通じて１次的に電波を遮蔽する。ドアスクリーン１０４の全体周辺部には、ドアフレーム１０５がプロジェクション溶接１１４のような接合方法によって一体化され形成されている。ドアフレーム１０５の縁には直四角形形態を有する突出部である折曲部１１２が形成されている。折曲部１１２とドアスクリーン１０４との間に開口部１１３が形成され前記ドアフレーム１０５の内部にはチョーク部１０６が形成されるようにする。
【０００７】
図１０Ｂに図示しているように、前記開口部１１３には電波吸収体１０７を設置する。図１０Ａ及び図１０Ｂで、Ｌ1 及びＬ2 は各々開口部１１３及び短絡終端壁１０８で構成されたチョーク部１０６の中心間連続距離を意味し、電波伝送線路を構成する。
【０００８】
図１１Ａ及び図１１Ｂは従来の１ＰＣ型ドアを図示している断面図である。図１１Ａは従来の１ＰＣ型チョーク構造として、電波吸収体が付着されていない状態を表しており、図１１Ｂは従来の１ＰＣ型チョーク構造で電波吸収体が付着された状態を表している。図示しているように、従来の１ＰＣ型ドアは調理室２０２の入り口の周辺全体にわたって形成された前面板２０３にチョーク部２０６を有するドアフレーム２０５が１ＰＣ形態で付着されている。前面板２０３とドアフレーム２０５の周辺部は金属間の接合によって１次的に電波が遮蔽できるようにシーリング面２１５を通じて接合されている。図９に図示した２ＰＣＳ形態のドアフレーム１０４のようにドアフレーム２０５には調理室２０２内の飲食物の調理状態が確認できるようにするための多孔部が設置されており、前面板２０３と接合するシーリング面２１５の縁の部位には所定高さｈを有する折曲部２１２が一体に形成されている。折曲部２１２の内部にはシーリング面２１５によって１次に遮蔽された電磁波をそれ以上漏洩されることを防止するチョーク部２０６が形成される。チョーク部２０６の外側には開口部２１３が形成されており、前記開口部２１３には電波吸収体２０７が提供される。１ＰＣ型ドアでは折曲部２１２の高さに相応するチョーク部の中心深さＬ3 が電波伝送線路を構成する。
【０００９】
２ＰＣＳ及び１ＰＣ形態のドアのチョーク構造は全部電波伝送線路１０９及び２０９の長さを１／４・λο（λοは電磁波の自由空間波長である）にして電磁波の漏洩を減衰させる技術的思想に基づいたものである。（チョーク部の）短絡終端伝送線路の特性インピーダンスをＺο、線路の長さ（電波伝送線路の長さを意味する）をＬ、線路の終端部を短絡させた場合の伝送線路入り口（チョーク部の開口部を意味する）で線路の終端部（短絡された場合の負荷インピーダンスをＺＬは０になる）を見た入力インピーダンスＺINとすれば、  ＺIN＝Ｖ（Ｌ）／Ｉ（Ｌ）＝ｊ・Ｚο・tanβＬ（β＝２π／λο、λο：自由空間波長）の関係を有する。
【００１０】
前記１ＰＣ及び２ＰＣＳのチョーク方式の電磁波の漏洩減衰装置（遮蔽装置）はチョーク部の電波伝送線路を１／４・λοに設定することにあるために、１ＰＣ形態のドアの電波伝送線路（入り口部２１３で短絡終端壁２０８の内面までの距離  ）の入力インピーダンス｜ＺIN｜＝Ｚοtan｛（２π／λο）（１／４・λο）｝＝∞  を達成する原理に基礎すると見られる。
【００１１】
また、２ＰＣＳ形態のドアの電波伝送線路は図１０Ｂに図示されているように、チョーク部１０６の開口部１１３から短絡終端壁１０８の内面までの中心間連続距離であるＬ1 ＋Ｌ2 が１／４・λοになるように形成してチョーク部１０６の開口部１１３でのインピーダンス｜ＺIN｜＝∞を実現しようとしたものである。
【００１２】
前記のような１ＰＣ及び２ＰＣＳ形態のドアは次のような問題点がある。
一つ、チョーク部のサイズが大きい。つまり、１ＰＣ形態のドアの場合には電波伝送線路がチョーク部２０６の深さｈだけに限定されるようになる。従って、ドアの折曲部２０５のサイズが大きくなる。また、２ＰＣＳ形態のドアの場合には、電波伝送線路がチョーク部１０６の中心間の連続距離であるＬ1 ＋Ｌ2 で構成構成される。従って、電波伝送線路がチョーク部１０６の深さと長さによって限定されるために１ＰＣ形態のドアよりチョーク部が小さく形成できるが、電波伝送線路の長さを１／４・λοで維持しながらチョーク部の大きさを減らすことに限界がある。従って、ドアのコンパクト化をなすのに困難である。
【００１３】
二つ、電磁波減衰の能力が充分でないために別途の電磁波吸収体１０７、２０７が必要である。たとえば、２ＰＣＳ形態のドアの場合に、１次シーリング面１１５を形成するためにはドアスクリーン１０４とドアフレーム１０５の二つの部品をプロジェクションウェルド１１４などの方法で一体化する。前記１次シーリング面１１５には溶接過程で溶接の残渣が残留したり、熱による導体面の変更などが生じてドアスクリーン１０４の平坦度が不良になる。従って、１次シーリングの効果が減少するだけでなく、２枚の導体を一体化する溶接過程で正確な寸法を有するチョーク部１０６の形成が難しくなり、電磁波減衰の能力が低下される。従って、電波吸収体１０７などのような高価の部品が追加で必要になる。
【００１４】
三つ、ドアの生産性が低い。１ＰＣ形態のドアの場合には、チョーク部２０６の深さｈだけを調整してチョーク部を形成する。電波波長を考慮すると、導体板の縁に約３０mmの深さを有するドローイング形状を有するチョーク部を形成しなければならないが、このようなチョーク部を作ることは相当難しい。また、２ＰＣＳ形態のドアの場合は２個の部品を寸法管理、溶接管理など難しい作業を経て一体化しなければならないために生産性が大変落ちてしまう。
【００１５】
四つ、チョーク部を形成するための費用が多くかかる。前記のように別途の部品、つまり電波吸収体１０７、２０７を追加しなければならないだけでなく、加工工程上の難しさによる生産性の低下などによって費用が上昇する。
一方、Jan A.C.  Gustafssonに許与された米国特許第４、６４５、８９２号明細書にはＧ−形状のプロフィールを有する電子レンジチョーク構造が開示されている。図１２Ａは前記米国特許明細書に開示されているチョーク構造を有するドア３１９が付着されている電子レンジキャビティ３１０の断面を表し、図１２Ｂは前記図１２Ａに図示したチョーク構造の拡大断面図である。
【００１６】
前面板３１８上にドア３１９が平行に付着されて具備されている。チョーク３２０は予めパンチされたシートを折曲げて形成され、図１２Ｂに図示しているようにＧ−形状を有する。電磁波の伝送線路Ｌは内側部３２７から始まって、入力開口部３２６を経て、分離壁３２３をすぎて短絡壁３２４まで形成され、長さは１／２・λ（波長）である。電磁波はチョーク内部でＵ字形態の線路を経て消滅するようになる。
【００１７】
前記した米国特許明細書に開示されているチョーク構造は電磁波の漏洩を減少させるために分離壁に必ず横方向へ切った溝を形成しなければならない。また、電磁波の伝達線路がシーリング内側部３２７から始まって１／２・λの長さを有するために、チョーク部の大きさを設定するのに難しいことが多い。つまり、前記の米国特許明細書に開示されている理論によると、チョーク部の大きさは非常に小さくもなり得るし、非常に大きくも形成できるものである。
【００１８】
【発明が解決しようとする課題】
本発明は以上のような従来の問題点を解決するためのものとして、本発明の目的は外部に漏洩される電波を最大に遮蔽することによって人体を効果的に保護できる電波遮蔽構造を有する電子レンジドアを提供することにある。
【００１９】
【課題を解決するための手段】
前記目的を達成するための本発明は、調理状態認識用多孔部が形成されたドアスクリーンと、前記ドアスクリーンの縁に電子レンジキャビティの調理室の入り口の全体周辺部に形成された前面板と接合して電磁波の漏洩を１次的に遮蔽するために形成されているシーリング面と、前記シーリング面と前記前面板の間から漏洩される電磁波を２次的に遮蔽させるために前記シーリング面に一体的に延長して形成されたチョーク構造（チョーク部）で構成されたドアフレームを含む電子レンジドアにおいて、前記チョーク構造は前記ドアフレームの周辺全体に沿って形成されているチョーク部を横切って形成され、前記チョーク部を多数のチョークに分けて多数個の開放伝送線路を形成するための多数のスリットを含むとともに、前記スリットに対向するチョーク部の下部壁の部位に前記開放伝送線路の入力インピーダンス及び各開放伝送線路間の特性インピーダンスを向上させるための円形または四角形の形状を有する多数のホールが形成されていることを特徴とする電子レンジのドアを提供する。
【００２０】
【発明の実施の態様】
本発明の好適な一実施例によると、前記チョーク構造はチョーク上部壁の端から前記チョークの内側に突出形成されている分割壁を含み、前記電波伝送の線路は前記第１開口部から前記チョーク下部壁の内面まで形成された第１伝送線路、前記分割壁の端から前記チョーク下部壁まで形成された第２開口部から前記チョーク外側壁の内面まで形成された第２伝送線路及び前記分割壁の端から前記チョーク外側壁まで形成された第３開口部から前記チョーク上部壁の内面まで形成された第３伝送線路で構成される。
【００２１】
前記チョーク構造は前記ドアフレームの周辺全体に沿って形成されている前記チョーク部を横切って形成されて前記チョーク部を多数のチョークに分けて多数の開放伝送線路を形成するための多数のスリットを含む。また、前記チョーク部に形成されたスリットに対向するチョーク下部壁の部位に前記開放伝送線路の入力インピーダンス及び各開放伝送線路間の特性インピーダンスを向上させるための円形または四角形の形状を有する多数のホールが形成されている。
【００２２】
本発明の別の実施例によると、前記電波伝送線路は前記第１開口部から前記チョーク下部壁の内面まで形成された第１伝送線路及び前記チョーク上部壁の端から前記チョーク下部壁まで形成された第２開口部から前記チョーク外側壁まで形成された第２伝送線路で構成される。前記チョーク部は前記ドアフレームの周辺全体に沿って形成され、前記チョーク部を多数のチョークに分ける多数のスリットが形成されている。前記スリットは前記チョーク上部壁及び前記チョークの外側壁に連続されて形成されている。
【００２３】
【作用】
ドアフレームのチョーク部に多数個の折曲部を作って多数の非連続的な短絡終端線路を形成し、多数のスリットを形成し、チョーク部を分割し、多数の開放伝送線路を形成する。チョーク部の間のスリット部にインピーダンス補強用ホールをつくることによって調理室の前面板とこれに面接されるドアフレームのシーリング面との間に回路的に大きいインピーダンスを形成する。従って、漏洩された電波は第１開口部を始点にして、最終の短絡終端面で短絡されて大部分が消滅される。
【００２４】
【実施例】
以下、本発明を添付図面に基づいて詳細に説明する。図１は本発明の一実施例による電子レンジのドアの電波遮蔽構造であるチョーク部を表す概略的な斜視図である。図２は図１に図示されたチョーク構造の詳細斜視図である。図示しているように、電子レンジキャビティ（図９の１０１）の前面部には、キャビティ１０１の外周面に沿って前面板が形成されており、前記前面板の上には電子レンジのドアが付着されている。前記電子レンジドアは、中間部にドアスクリーン１０が形成されており、外周辺部にはチョーク部２２（またはチョーク構造）が形成されているドアフレーム２０を含む。前記ドアスクリーン１０の縁には飲食物の調理状態を認識するための多空部１１が形成されている。ドアスクリーン１０の外周部であるドアフレーム２０の縁には、キャビティの前面板（図３Ａ及び図３Ｂの３及び図９の１０３）と密着して電波の漏洩を１次的に遮蔽するためのシーリング面２１が形成されている。前記シーリング面２１を延長し、外側に（前面板と反対側に）前記シーリング面２１から直角に折曲されたドローイング側壁２３が形成されている。前記ドローイング側壁２３の端から一体に延長されて、外側に（ドアスクリーン１０の反対側に）直角で折曲され、チョーク下部壁２４が形成される。前記チョーク下部壁２４の端から前記シーリング面２１側に向いて延長され、チョーク外側壁２５が直角で折曲して形成されている。前記チョーク外側壁２５の端でシーリング面２１側に直角で折曲して短絡終端壁であるチョーク上部壁２６が形成されている。チョーク上部壁２６の端からチョーク内側に直角で折曲して分割壁２７が形成されている。
【００２５】
また、図２を参照すると、前記チョーク部２２のチョーク外側壁２５とチョーク上部壁２６及び分割壁２７には多数個の開放伝送線路を形成するために多数のスリット２８が形成されている。スリット２８はドアフレーム２０の周辺部全体に沿って形成された前記チョーク部２２を横切って形成されており、前記チョーク部２２を多数のチョークで分割する。図示しているように、前記スリット２８は前記分割壁２７、チョーク上部壁２６及びチョーク外側壁２５に連続的に形成されている。
【００２６】
図２を参照すると各チョーク間のスリット２８をチョーク上部壁２６の間のスリット２８と向き合うチョーク下部壁２４にはインピーダンス補強用ホール２９が四角形で形成されている。しかし、別の実施例では円形でも形成できるものである。
【００２７】
前記スリット２８の幅Ｓ及び深さＨ２、チョーク部２２のチョークの幅ａ及びインピーダンス補強用ホール２９の幅Ｗはドアフレーム２０の構造的強度及び電磁波の遮蔽の程度と関連される。このような点を考慮して適当にこれらの大きさを決定する。前記チョーク部２２のチョーク外側壁２５に形成されたスリット２８の深さＨ２は前記チョーク上部壁２６から突出された分割壁２７の高さ（または幅）Ｈ１より大きいものが望ましい。この際に、前記スリット２８によって区分された多数のチョークの幅ａは１／４・λοより小さく、スリット２８の幅Ｓは２／３・ａ以下であるものが望ましい。前記インピーダンス補強用ホール２９の幅Ｗはスリット２８の幅Ｓ以下であるものが望ましい。
【００２８】
図２を参照すると、電波の伝送方向をｘ、ｙ及びｚ方向であるとすれば、チョーク部２２の幅ａと前記チョーク部２２のｘ方向に形成されてｙ方向に分割壁２７、チョーク上部壁２６及びチョーク外側壁２５に連続して形成されるスリット２８の幅Ｓはｘ方向での電波漏洩を抑制するために前記のような条件下で形成されるものが望ましい。前記スリット２８は前記チョーク部２２にｘ方向に多数個の開放伝送線路を形成して適切な電波線路長を構成する。従って、前記チョーク部２２のｘ方向でのインピーダンスが増加される。また、前記インピーダンス補強用ホール２９は、面接される二つの導体面、つまり調理室の前面板（図９の１０３）と前記チョーク上部壁２６のスリット２８に対向するチョーク下部壁２４の間の面積を減少させてインピーダンスを増加させる。このように、ｘ方向に形成される各開放伝送線路の入力インピーダンスだけでなく、各開放伝送線路間の特性インピーダンスを増加させて電波漏洩の防止効果を向上させる。
【００２９】
図３Ａは電波線路線路を表すための図１及び図２に図示したチョーク部が前面板に付着された状態の断面図であり、図３Ｂは前記図３Ａのチョーク部の付着状態を具体的に説明するための図面である。また、図４Ａ、図４Ｂ、図４Ｃは図３Ａ及び図３Ｂに図示している電波線路線路を個別的に表すためのチョーク部の断面図である。
【００３０】
図３Ａに図示しているように、本実施例によるチョーク部２２にはＬ’1 の長さを有する第１短絡伝送線路Ａ、Ｌ’2 の長さを有する第２短絡伝送線路Ｂ及びＬ’3 の長さを有する第３短絡伝送線路Ｃが形成されている。図４Ａに図示しているように、第１の短絡伝送線路Ａはチョーク上部壁２６の端とドローイング側壁２３の間に形成された第１開口部４１を始点にしてＬ’11の長さを有するドローイング側壁２３と分割壁２７によって形成された第１の第１短絡伝送線路Ａ１と、分割壁２７の端を始点にしてＬ’12の長さを有するチョーク外側壁２５とドローイング側壁２３によって形成された第２の第１短絡伝送線路Ａ２によって形成される。Ｌ’1 （＝Ｌ’11＋Ｌ’12）の長さを有する第１短絡伝送線路ＡはＬ’11の長さ（図２の高さＨ1 に対応）を有する前記分割壁２７でドローイング側壁２３の内面まで形成された第１開口部４１を始点にして、チョーク下部壁２４の内面を短絡終端面にして、図３Ａに図示しているように、第１開口部４１からチョーク下部壁２４の内面まで第１開口部４１の中心線が延長されて形成されている。つまり、第１短絡伝送線路Ａはドローイング側壁２３、分割壁２７及びチョーク外側壁２５によって伝送線路が形成される。第２短絡伝送線路Ｂは前記分割壁２７の端でチョーク下部壁２４の内面まで形成されたＬ’12の長さを有する第２開口部４２を始点にしてチョーク外側壁２５の内面を短絡終端面にして形成され、前記第２開口部４２の中心線が延長されて形成されている。第２短絡伝送線路Ｂはチョーク下部壁２４及びチョーク上部壁２６によって伝送線路が形成される。第３短絡伝送線路Ｃは前記分割壁２７の端でチョーク外側壁２５の内面まで形成された第３開口部４３を始点にして、最終短絡終端面であるチョーク上部壁２６の内面を短絡終端面にして前記第３開口部４３の中心線が延長され形成されている。第３短絡伝送線路Ｃはチョーク外側壁２５と分割壁２７によって伝送線路が形成される。
【００３１】
前記第１短絡伝送線路Ａと第２短絡伝送線路Ｂ、そして第３短絡伝送線路Ｃはチョーク部の電波線路を構成するようになり、その長さの合計（Ｌ’11＋Ｌ’12＋Ｌ’2 ＋Ｌ’3 ）は１／４・λοになる。
【００３２】
図３Ｂを参照すると、シーリング面２１と前面板３の間の接着間隔をＧ1 で表し、チョーク上部壁２６と前面板３の間の間隔をＧ2 で表し、図３Ａの第１開口部４１の大きさ、つまり分割壁２７とドローイング側壁２３間の距離をＧ3 で表す。シーリング面２１と前面板３の間の接着間隔Ｇ1 は可能な限り小さい方が電波遮蔽の効果面で望ましい。構造上で接着間隔Ｇ1 は無くすることはできないが、可能な限り１．０mm以下になるように形成する。前面板３とチョーク上部壁２６間の間隔Ｇ2 は異物質防止ガスケットや装飾構造物のような構成部品が設置されるのが許容される範囲内で可能な限り小さく形成するのが望ましい。以下、図４Ａ、図４Ｂ及び図４Ｃを参照して電波の遮蔽メカニズムをより具体的に説明する。
【００３３】
図３ＢのＧ1 の間隔を有する前面板３とシーリング面２１との間の隙間を通じて電波が漏洩される場合に、漏洩された電波は図４Ａに図示しているように、第１開口部４１を始点にして、ドローイング側壁２３と分割壁２７によって形成されたＬ’11の長さを有する第１の第１短絡伝送線路Ａ１とドローイング側壁２３とチョーク外側壁２５によって形成されＬ’12の長さを有する第２の第１短絡伝送線路Ａ２を通じて進行する。つまり、電波伝送線路長の長さがＬ’11＋Ｌ’12である第１短絡伝送線路Ａを通じてチョーク下部壁２４の内面に届くようになる。次に、図４Ｂに図示しているように前記電波は再び第２開口部４２を始点にし、チョーク下部壁２４とチョーク上部壁２６によって形成され、電波伝送線路長の長さがＬ’2 である第２短絡伝送線路Ｂを通じて進行されながらチョーク外側壁２５の内面に届く。次に、図４Ｃに図示しているように電波は第３開口部４３を始点にしてチョーク外側壁２５と分割壁２７によって形成され、電波伝送線路長の長さがＬ’3 である第３短絡伝送線路Ｃを通じて進行されながら最終短絡終端面であるチョーク上部壁２６の内面で短絡される。最終的には、電波伝送線路長Ｌ＝（Ｌ’11＋Ｌ’12）＋Ｌ’2 ＋Ｌ’3 ＝１／４・λοになる。
【００３４】
図５Ａ、図５Ｂ、図６Ａ及び図６Ｂは本発明の第２実施例による電子レンジドアのチョーク構造を表している断面図である。図５Ａは電波伝送線路長を表すための本発明の実施例２によるチョーク部が前面板３’に付着された状態の断面図であり、図５Ｂは前記図５Ａのチョーク部の付着状態を具体的に説明するための図面である。また、図６Ａ、図６Ｂは図５Ａ及び図５Ｂに図示している電波伝送線路長を個別的に表すためのチョーク部の断面図である。
【００３５】
本実施例によるチョーク構造は、チョーク上部壁２６’をより長く形成して分割壁を省略したものを除外しては図１及び図２に図示した実施例１と同一である。分割壁を削除する一方、チョーク上部壁を長く形成してチョーク内の電波伝送線路を全体的に実施例１と同一に維持することによって、同一な遮蔽能力が維持できる一方、加工工程を減らせるために生産性が向上される。
【００３６】
図５Ａに図示されているように、本実施例によるチョーク部にはＬ’’1 の長さを有する第１短絡伝送線路Ａ’及びＬ’’2 の長さを有する第２短絡伝送線路Ｂ’が図６Ａに図示しているように第１短絡伝送線路Ａ’は第１開口部４１’を始点にしてＬ’’1 の長さを有するドローイング側壁２３’とチョーク外側壁２５’によって形成された短絡伝送線路Ａ’によって形成される。Ｌ’’1 の長さを有する第１短絡伝送線路Ａ’は前記チョーク上部壁２６’の端でドローイング側壁２３’まで形成された第１開口部４１’を始点にし、チョーク下部壁２４’の内面を短絡終端面にして、第１開口部４１’からチョーク下部壁２４’の内面まで第１開口部４１’の中心線が延長され形成されている。第１短絡伝送線路Ａ’はドローイング側壁２３’及びチョーク外側壁２５’によって形成される。第２短絡伝送線路Ｂ’は前記チョーク上部壁２６’の端でチョーク下部壁２４’まで形成されたＬ’’1 の長さを有する第２開口部４２’を始点にしてチョーク外側壁２５’の内面を短絡終端面にして形成され、前記第２開口部４２’の中心線が延長され形成されている。第２短絡伝送線路Ｂ’はチョーク下部壁２４’及びチョーク上部壁２６’によって形成される。
【００３７】
図面で図示されてはいないが、図１及び図２に図示しているようなスリット２８がチョーク部に形成され得る。前記スリットは前記チョーク上部壁２６’及び前記チョークの外側壁２５’に連続されて形成される。また、図２に図示しているようなインピーダンス補強用ホール２９が形成できる。スリット及びホールに対する説明は前記実施例１で説明したところと同一であるために省略する。前記第１短絡伝送線路Ａ’と第２短絡伝送線路Ｂ’はチョーク部の電波伝送線路を構成するようになり、その長さの合計（Ｌ’’1 ＋Ｌ’’2 ）は１／４・λοになる。
【００３８】
図５Ｂを参照すると、図３Ｂでのようにシーリング面２１’と前面板３’の間の接着間隔をＧ’1 で表し、チョーク上部壁２６’と前面板３’の間の間隔をＧ’2 で表し、図５Ａの第１開口部の大きさ、つまりチョーク上部壁２６’の端とドローイング側壁２３’間の距離をＧ’3 で表す。Ｇ’1 、Ｇ’2 及びＧ’3 に対する説明は、図３ＢでＧ1 、Ｇ2 及びＧ3 に関して説明したところと同一である。
【００３９】
以下、図６Ａ及び図６Ｂを参照して本実施例による電磁波の遮蔽メカニズムをより具体的に説明する。図５ＢのＧ’1 の間隔を有する前面板３’とシーリング面２１’との間の隙間を通じて電磁波が漏洩される場合に、漏洩された電磁波は図６Ａに図示しているように、第１開口部４１’を始点にしてドローイング側壁２３’とチョーク外側壁２５’によって形成され、Ｌ’’1 の長さを有する第１の第１短絡伝送線路Ａ’を通じて進行してチョーク下部壁２４’の内面に届くようになる。次に、図６Ｂに図示しているように前記電磁波は再び第２開口部４２’を始点にし、チョーク下部壁２４’とチョーク上部壁２６’によって形成され、電波伝送線路長の長さがＬ’’2 である第２短絡伝送線路Ｂ’を通じて進行して最終短絡面であるチョーク上部壁２６’の内面で短絡される。電波伝送線路長Ｌは、Ｌ’’1 ＋Ｌ’’2 ＝１／４・λοになる。
【００４０】
図１及び図２に図示しているようなチョーク構造を有する電子レンジのドアを制作して電波伝送線路と第１開口部の大きさの変化に対する電磁波の漏洩量を水分負荷がない状態で測定した。まず、シーリング面と前面板間の接着間隔Ｇ1 を０. ５mmにし、チョーク上部壁と前面板間の間隔Ｇ2 を３. ０mmにし、電波伝送線路の長さＬを２７．６mmで３２．６mmまで変化させながら電磁波の漏洩量を測定した。図７は電波伝送線路の長さによって測定された電磁波の漏洩量を表すグラフである。同図で分かるように電波伝送線路の長さが２９．６mmで３０．６mmの間である際に、電波漏洩量の現れが最小となることが分かる。従って、前記範囲で優秀な電波遮蔽効果が得られるために、電波伝送線路の長さを前記のように設定するのが望ましい。
【００４１】
また、シーリング面と前面板間の接着間隔Ｇ1 を１．０mmにし、第２開口部の大きさＧ2 を３. ０mmにし、第１開口部の大きさＧ3 、つまり分割壁とドローイング側壁間の距離を１mmから１０mmまで変化させながら水分負荷がない状態での電磁波の漏洩量を測定した。図８は第１開口部の大きさによって測定された電磁波の漏洩量を表すグラフである。同図で分かるように第１開口部の大きさが３mmから８mmの間になる際に、電磁波の漏洩量が最小になることが分かる。
従って、第１開口部の大きさを前記の範囲で設定する場合に優秀な電磁波遮蔽効果が得られる。以上、本発明を前記した実施例を上げて具体的に説明したが、本発明はこれに制限されるものでなく、当業者の通常の知識の範囲内でその変形や改良が可能である。
【００４２】
【発明の効果】
以上で説明したように、本発明の電子レンジのドアの電磁波遮蔽構造によると、ドアフレームのチョーク部に多数個の折曲部をつくって多数の非連続的な短絡終端線路を構成する。多数のスリットを形成してチョーク部を分割して多数の開放伝送線路を形成する。チョーク部の間のスリット部にインピーダンス補強用ホールをつくることによって調理室の前面板とこれに面接されるドアフレームのシーリング面との間に回路的に大きいインピーダンスを形成することによって別途の電波吸収物質をしなくても優秀な電磁波遮蔽効果を得られる。従って、外部に漏洩される電磁波を最大限抑制させ人体に有害な電磁波から人体が保護できる。
【図面の簡単な説明】
【図１】  本発明の一実施例による電子レンジのドアの電波遮蔽構造であるチョーク部を表す概略的な斜視図である。
【図２】  図１に図示されたチョーク構造の詳細斜視図である。
【図３】  図３Ａは電波線路長を表すための図１及び図２に図示したチョーク部が前面板に付着された状態の断面図である。
図３Ｂは前記図３Ａのチョーク部の付着状態を具体的に説明するための図面である。
【図４】  Ａは図３Ａ及び図３Ｂに図示している電波線路長を個別的に表すためのチョーク部の断面図である。
Ｂは図３Ａ及び図３Ｂに図示している電波線路長を個別的に表すためのチョーク部の断面図である。
Ｃは図３Ａ及び図３Ｂに図示している電波線路長を個別的に表すためのチョーク部の断面図である。
【図５】  図５Ａは電波線路長を表すための本発明の実施例２によるチョーク部が前面板に付着された状態の断面図である。
図５Ｂは前記図５Ａのチョーク部の付着状態を具体的に説明するための図面である。
【図６】  Ａは図５Ａ及び図５Ｂに図示している電波線路長を個別的に表すためのチョーク部の断面図である。
Ｂは図５Ａ及び図５Ｂに図示している電波線路長を個別的に表すためのチョーク部の断面図である。
【図７】  電波伝送線路の長さによって測定された電波漏洩量を表すグラフである。
【図８】  第１開口部の大きさによって測定された電波漏洩量を表すグラフである。
【図９】  従来２ＰＣＳ型チョーク構造を有するドアが電子レンジキャビティの調理室に付着された状態を表している断面図である。
【図１０】  図１０Ａは図９に図示している２ＰＣＳ型チョーク構造で電波吸収体が付着されていない状態を表している詳細断面図である。
図１０Ｂは図９に図示している２ＰＣＳ型チョーク構造で電波吸収体が付着された状態を表している詳細断面図である。
【図１１】  図１１Ａは従来の１ＰＣ型チョーク構造で電波吸収体が付着されていない状態を表している。
図１１Ｂは従来の１ＰＣ型チョーク構造で電波吸収体が付着された状態を表している
【図１２】  図１２Ａは従来のＧープロフィールの電波線路を有するチョーク構造を有するドアが付着されている電子レンジキャビティの断面を表す。
図１２Ｂは前記図１２Ａに図示したチョーク構造の拡大断面図である。
【符号の説明】
１０  ドアスクリーン
１１  多空部
２０  ドアフレーム
２１  シーリング面
２２、２２’  チョーク部
２３  ２３’  ドローイング側壁
２４  ２４’  チョーク下部壁
２５  ２５’  チョーク外側壁
２６  ２６’  チョーク上部壁
２７  分割壁
２８  スリット
２９  インピーダンス補強用ホール
１０１  電子レンジキャビティ
１０２、２０２  調理室
１０３、２０３  前面板
１０４  ドアスクリーン
１０５、２０５  ドアフレーム
１０６、２０６  チョーク部
１１０  飲食物
１１１  入り口
１１２、２１２  折曲部
１１３、２１３  開口部
１１４  プロジェクションウェルド
１１５、２１５  シーリング面
１０７、２０７  電波吸収体
１０８、２０８  短絡終端壁
１０９、２０９  電波伝送線路
３１８  前面板
３１９  ドア
３２０  チョーク
３２３  分離壁
３２４  短絡壁
３２６  入力開口部
３２７  シーリング内側部
３２７  内側部
【図１】
0003710182.tif 000002
【図２】
0003710182.tif 000003
【図３】
0003710182.tif 000004
【図４】
0003710182.tif 000005
【図５】
0003710182.tif 000006
【図６】
0003710182.tif 000007
【図７】
0003710182.tif 000008
【図８】
0003710182.tif 000009
【図９】
0003710182.tif 000010
【図１０】
0003710182.tif 000011
【図１１】
0003710182.tif 000012
【図１２】
0003710182.tif 000013